(57)【要約】  【課題】  組み立て精度の悪い枠組足場でもスムーズな昇降が可能で取り扱いやすい上、容易かつ迅速に設置できる枠組足場の先行手摺を提供する。  【解決手段】  枠組足場１の建枠２の脚柱３に沿わせてガイドレール７を設置し、このガイドレール７に先行手摺１０の支柱部１１を昇降自在に配設すると共に、支柱部１１には建枠２の横架材５に係止可能なようにストッパー１６を備える。また、隣接する支柱部１１間には伸縮式の横棧１２を架設する。そして、枠組足場１を上方へ組み上げていく場合には、前記支柱部１１をガイドレール７に沿って上昇させ、上段の足場周囲に安全作業用の横棧１２を先行して設置する。このとき、支柱部１１は、建枠２の歪みなどが原因で枠組足場１の組み立て精度が悪くても、昇降用に別途設置したガイドレール７に沿って常にスムーズに昇降させることができて取り扱いやすい。【選択図】  図１
2005307628.tif 000002
【特許請求の範囲】
【請求項１】
建枠を上方向並びに水平方向に所望数配置して構築する枠組足場の組み立て及び解体時に先行させて設置する枠組足場の先行手摺であって、前記枠組足場の建枠の脚柱に沿わせてガイドレールを設置し、該ガイドレールに前記先行手摺の支柱部を昇降自在に配設すると共に、該支柱部には支柱部を建枠の横架材に係止可能なようにストッパーを備える一方、隣接する支柱部間には伸縮式の横棧を架設したことを特徴とする枠組足場の先行手摺。
【請求項２】
前記横棧は、屈曲自在にリンク接続して前記支柱部間に連結したことを特徴とする請求項１記載の枠組足場の先行手摺。
【請求項３】
前記ストッパーは、前記支柱部に揺動自在に備えた一対のストッパー部材からなり、支柱部を建枠の横架材に係止するときには前記各ストッパー部材の一端に備えた係止部を建枠の横架材に引っ掛けて係止する一方、支柱部を昇降するときには各ストッパー部材の一端に備えた係止部を開放しつつ他端に備えた把持部にて建枠の脚柱を把持させ、常にストッパー部材の一部が建枠の脚柱を把持するように形成したことを特徴とする請求項１または２記載の枠組足場の先行手摺。
【発明の詳細な説明】
【技術分野】
【０００１】
本発明は、土木、建築などの工事分野において、建築物の外壁などにそって設置する枠組足場の先行手摺に関する。
【背景技術】
【０００２】
土木、建築の建設工事現場において、枠組足場の建枠を上方向、水平方向に所要数連結して枠組足場を構築して施工しているが、その組み立てや解体では作業員はその最上段の足場の上に乗ってその作業を行っている。
【０００３】
ところが、最上段の足場には、その周囲に安全のための柱や手摺が無いことがあり、作業に恐怖感を憶えたり、転落などの危険性があった。そこで、その危険性を回避して安全に作業を行うことができるように、枠組足場の組み立て、或いは解体作業時においても、最上段の足場の周囲に常に手摺を先行させて設置することができる先行手摺が種々提案されている。
【０００４】
例えば、特許文献１には、枠組足場の建枠の一方側の脚柱に先行手摺の支柱部を昇降自在に取り付けると共に、前記支柱部には支柱部を建枠の横架材に係止可能なようにストッパーを備えてなる枠組足場の先行手摺が示されている。また、特許文献２には、枠組足場の建枠の脚柱に沿わせて複数のガイドレールを設置し、これら隣接するガイドレール間に枠体状の手摺枠を昇降自在に配設すると共に、前記手摺枠には手摺枠をガイドレールに設けた係合部に係合可能なようにストッパーを備えてなる枠組足場の先行手摺が示されている。
【特許文献１】特開２００３−６４８６３号
【特許文献２】特開２００３−３２８５５５号
【発明の開示】
【発明が解決しようとする課題】
【０００５】
しかしながら、特許文献１の先行手摺では、機材の整備不良などが原因で枠組足場の組み立て精度が悪く、特に建枠の脚柱に歪みなどが生じていると、先行手摺の支柱部をスムーズに昇降させにくい場合が考えられる。一方、特許文献２の先行手摺では、昇降用のガイドレールを別途備えており、枠組足場の組み立て精度によって直接には影響を受けにくい構成としているものの、こちらの先行手摺では、隣接するガイドレール間を枠体状の手摺枠が昇降するようにしているため、今度は各ガイドレール同士を正確に平行に設置する必要があり、例えば組み立て精度の悪い枠組足場の場合では、ただ単に建枠の脚柱に沿わせてガイドレールを設置しても当然のことながら正確に平行に設置できず、やはり手摺枠をスムーズに昇降させにくい場合が考えられる。
【０００６】
本発明は上記の点に鑑み、組み立て精度の悪い枠組足場でもスムーズな昇降が可能で取り扱いやすい上、容易かつ迅速に設置できる枠組足場の先行手摺を提供することを課題とする。
【課題を解決するための手段】
【０００７】
本発明は、上記の課題を解決するために、請求項１記載の枠組足場の先行手摺にあっては、建枠を上方向並びに水平方向に所望数配置して構築する枠組足場の組み立て及び解体時に先行させて設置する枠組足場の先行手摺であって、前記枠組足場の建枠の脚柱に沿わせてガイドレールを設置し、該ガイドレールに前記先行手摺の支柱部を昇降自在に配設すると共に、該支柱部には支柱部を建枠の横架材に係止可能なようにストッパーを備える一方、隣接する支柱部間には伸縮式の横棧を架設したことを特徴としている。
【０００８】
また、請求項２記載の枠組足場の先行手摺にあっては、前記横棧は、屈曲自在にリンク接続して前記支柱部間に連結したことを特徴としている。
【０００９】
また、請求項３記載の枠組足場の先行手摺にあっては、前記ストッパーは、前記支柱部に揺動自在に備えた一対のストッパー部材からなり、支柱部を建枠の横架材に係止するときには前記各ストッパー部材の一端に備えた係止部を建枠の横架材に引っ掛けて係止する一方、支柱部を昇降するときには各ストッパー部材の一端に備えた係止部を開放しつつ他端に備えた把持部にて建枠の脚柱を把持させ、常にストッパー部材の一部が建枠の脚柱を把持するように形成したことを特徴としている。
【発明の効果】
【００１０】
本発明に係る請求項１記載の枠組足場の先行手摺によれば、建枠を上方向並びに水平方向に所望数配置して構築する枠組足場の組み立て及び解体時に先行させて設置する枠組足場の先行手摺であって、前記枠組足場の建枠の脚柱に沿わせてガイドレールを設置し、該ガイドレールに前記先行手摺の支柱部を昇降自在に配設すると共に、該支柱部には支柱部を建枠の横架材に係止可能なようにストッパーを備える一方、隣接する支柱部間には伸縮式の横棧を架設したので、枠組足場の組み立て精度にかかわらず、先行手摺の支柱部を昇降用として別途設置したガイドレールに沿わせてスムーズに昇降させることができて取り扱いやすいと共に、隣接するガイドレール同士が別段正確に平行に設置されていなくても支柱部の昇降には何ら支障はなく、ガイドレールを容易かつ迅速に設置することができて好適である。
【００１１】
また、請求項２記載の枠組足場の先行手摺によれば、前記横棧は、屈曲自在にリンク接続して前記支柱部間に連結したので、作業中や運搬中に横棧へ衝撃などが加わることによって横棧に多少歪みが生じたとしても支柱部間の距離調整機能が低下してしまうようなおそれは小さく、支柱部のスムーズな昇降が維持できて取り扱いやすい。
【００１２】
また、請求項３記載の枠組足場の先行手摺によれば、前記ストッパーは、前記支柱部に揺動自在に備えた一対のストッパー部材からなり、支柱部を建枠の横架材に係止するときには前記各ストッパー部材の一端に備えた係止部を建枠の横架材に引っ掛けて係止する一方、支柱部を昇降するときには各ストッパー部材の一端に備えた係止部を開放しつつ他端に備えた把持部にて建枠の脚柱を把持させ、常にストッパー部材の一部が建枠の脚柱を把持するように形成したので、支柱部をガイドレールに沿って昇降させる際にストッパーを開放動作させても、支柱部とガイドレールとの支持力の低下を抑えることができ、手摺のぐらつきを防いで安全かつスムーズに枠組足場の組み立て、解体作業を行えて取り扱いやすくて好適である。
【発明を実施するための最良の形態】
【００１３】
本発明に係わる請求項１記載の枠組足場の先行手摺は、枠組足場を構成する建枠の脚柱に沿わせてガイドレールを設置し、該ガイドレールに先行手摺の支柱部を昇降自在に配設する。このとき、各ガイドレールは別段正確に平行に設置されていなくても支柱部の昇降には特に支障はなく、例えば組み立て精度の悪い枠組足場であっても建枠の横架材にそのまま係止させるようにすれば足りる。また、前記支柱部には支柱部を建枠の横架材に係止可能なように係止用のストッパーを備える一方、隣接する支柱部間には伸縮式の横棧を架設して連結する。そして、各支柱部のストッパーを建枠の横架材へ係止させて支柱部を固定させると、各建枠間に横棧が水平に保持され、作業者の安全が確保される。
【００１４】
そして、更に上段へ枠組足場を組み上げるときには、各支柱部の固定を解除した後、作業者はこれらの支柱部を手で掴んでガイドレールに沿って上段側の建枠へ押し上げるように移動させる。このとき、例え建枠の脚柱などに歪みが生じていて枠組足場の組み立て精度が悪くても、ガイドレールを利用した支柱部の昇降には何ら支障なく、非常にスムーズに昇降させることができる。また、各支柱部を昇降させる際、隣接する支柱部との距離が変化するが、それに応じて支柱部間に架設した横棧が自動的に伸縮動作する。そのため、いちいち横棧を取り外さずに支柱部を移動させることができ、常に各支柱部が横棧にて連結された状態を保てて安全性が高い上に移動操作も簡便で取り扱いやすい。
【００１５】
このように、枠組足場の組み立て精度が多少悪くても先行手摺の支柱部は昇降用として別途設置したガイドレールに沿わせて昇降させるため、常にスムーズに昇降させることができて取り扱いやすいと共に、従来の枠体状の手摺枠が昇降のために平行な二本のガイドレールを要するのに対して本発明の支柱部は一本のガイドレールのみしか要さず、また支柱部間に架設した横棧も伸縮式のものを採用しているため、各ガイドレールを正確に平行に設置しなくても支障なく支柱部を昇降させることができ、ガイドレールの設置が容易かつ迅速に行えて好適である。
【００１６】
また、請求項２記載の枠組足場の先行手摺は、各支柱部間には屈曲自在にリンク接続してなる横棧を架設して連結する。そして、この先行手摺を運搬する際、或いは枠組足場に取り付けて作業する際などに、先行手摺の横棧へ強い衝撃などが加わると横棧に歪みが生じる場合があるが、リンク機構という構造上、横棧に多少歪みが生じたとしても伸縮機能、即ち支柱部間の距離調整機能が低下してしまうようなおそれは小さく、過酷な使用条件でもいつまでも取り扱いやすさを良好に維持できて好適である。
【００１７】
また、請求項３記載の枠組足場の先行手摺は、支柱部に一対のストッパー部材からなるストッパーを備える。このストッパーは、支柱部を建枠の横架材に係止するときには各ストッパー部材下端の係止部を建枠の横架材に引っ掛けて係止する一方、支柱部を昇降するときには各ストッパー部材下端の係止部を開放しつつ上端に備えた把持部にて建枠の脚柱を把持させ、常にストッパー部材の一部が建枠の脚柱を把持するように形成する。そして、支柱部をガイドレールに沿って昇降させる際に、ストッパーを開放動作させても支柱部とガイドレールとの支持力の低下を抑えることができ、手摺のぐらつきを防いで安全かつスムーズに枠組足場の組み立て、解体作業を行えて取り扱いやすくて好適である。
【実施例】
【００１８】
以下、本発明の実施例を図面に基づいて説明する。
【００１９】
図中の１は建築現場などの周囲に設置される枠組足場であって、複数の建枠２を平行に立設し、各建枠２の脚柱３間に筋交い４を、横架材５間に足場板６をそれぞれ架設して組み上げている。７は後述する先行手摺を上下方向へ案内するためのガイドレールであって、前記枠組足場１の略二階高さ分に相当する長さの鋼管を本体部となし、その側部には建枠２の横架材５へ係止させて支持固定するための係止フック８を所定間隔を置いて上下に一対備えていると共に、その下位には建枠２の脚柱３を握持させてガイドレール７がぐらつかないように固定する固定クランプ９を備えており、前記ガイドレール７を枠組足場１の建枠２の脚柱３に取り付けて設置した際には、図６に示すように、建枠２の脚柱３と略並行に沿った状態にて固定される。
【００２０】
１０は前記枠組足場１に設置される先行手摺であって、前記ガイドレール７に摺動自在に取り付けてガイドレール７に沿って昇降可能に備えた複数の支柱部１１と、これら各支柱部１１間に架設する伸縮式の横棧１２とから主体を構成している。
【００２１】
前記支柱部１１は、所定間隔をおいて一対の垂直材１３を並行に備え、これら垂直材１３間に複数の水平材１４を架設して連結して縦長の箱枠形状に形成したものであって、前記水平材１４の一部にはそれぞれ一対のガイドローラ１５を軸着しており、これら一対のガイドローラ１５にてガイドレール７を狭着させて摺動自在とすることにより、支柱部１１をガイドレール７に沿ってスムーズに昇降可能としている。
【００２２】
支柱部１１の中間部には、支柱部１１を建枠２の横架材５へ係止させるためのストッパー１６を備えている。前記ストッパー１６は、図５に示すように、略Ｕ字形状の支持材１７を支柱部１１より水平かつ後方側に突設し、この支持材１７先端に建枠２の脚柱３よりもやや広い間隔で左右対称に一対のストッパー部材１８を軸着しており、各ストッパー部材１８はバネ１９の付勢力に抗して左右に開閉可能としている。そして、支柱部１１を上方向に移動させるときには、ストッパー部材１８下端に形成した係止部２０の上端側が建枠２の横架材５などの下端側に当接すると、各ストッパー部材１８は左右に押し拡げられていって開放されて通過可能となるようにしている一方、支柱部１１を下方向に移動させるときには、ストッパー部材１８下端に形成した係止部２０の下端側が建枠２の横架材５などの上端側に当接すると、係止部２０の円弧状の溝部が引っ掛かって係止可能としている。
【００２３】
前記左右各ストッパー部材１８の下部には、支持材１７と並行に支柱部１１の前方側へ軸支ピン２１を突設し、各軸支ピン２１の先端部にそれぞれリンク材２２の一端部を軸着する一方、各リンク材２２の他端部同士を連結ピン２３にて回動自在に連結して略Ｖ字状にリンク接続している。なお、各軸支ピン２１間に前記バネ１９を架け渡すようにして取り付けている。そして、前記連結ピン２３には、支柱部１１の垂直材１３と略平行に配した押し上げハンドル２４を取り付けており、該押し上げハンドル２４をバネ１９の付勢力に抗して押し上げれば、図５の（ａ）に二点鎖線にて示すように、左右のストッパー部材１８の下端側を左右に押し拡げて各係止部２０を離反させ、建枠２の横架材５などを通過して支柱部１１をガイドローラ７に沿って自由に昇降できるようにしている。
【００２４】
一方、図５の（ａ）に示すように、ストッパー部材１８の上端側には把持部２５を形成していて、各ストッパー部材１８下端の係止部２０側を左右に押し拡げた際には前記把持部２５同士が近接するようにしており、支柱部１１を昇降させる際に左右のストッパー部材１８を上記したように開放状態としても、ストッパー部材１８上端の把持部２５にて建枠２の脚柱３を把持し、昇降中の支柱部１１のガイドレール７との支持力低下を極力防ぐように図っている。
【００２５】
また、支柱部１１背面側の両側部には、支柱部１１を昇降移動させる際などに作業者が実際に手で掴んで操作するための操作ハンドル２６を備えている。
【００２６】
また、支柱部１１の中間部二段の水平材１４には、それぞれ左右一対にリンク材２７を回動自在に軸着しており、該リンク材２７は断面略Ｕ字形状のリンク材本体２８とその先端部に固着した取付片２９とから形成している。取付片２９には前記横棧１２の一端部を回動自在に軸支していると共に、この横棧１２の他端部を隣接する別の支柱部１１のリンク材２７先端部の取付片２９へ同様に回動自在に軸支しており、隣接する支柱部１１間には上下二段に横棧１２が架設される構成としている。また、これら上下二段の横棧１２の中間部同士を中間リンク材３０にてリンク接続しており、二段に架設した各横棧１２の傾斜角度を同調させるように図っている。
【００２７】
そして、前記リンク材２７を起立状態にしたときには、支柱部１１の垂直材１３を断面略Ｕ字形状のリンク材２７の溝部で狭着して起立状態が保持されるようにしている一方、リンク材２７先端側を支柱部１１より離間する方向に回動して傾倒させたときには、図３に示すように、下段側のリンク材本体２８の基端部２８ａが支柱部１１の垂直材１３の側面に当接し、略水平の状態で保持されるようにしている。このとき、上段側のリンク材２７の傾斜角度は、上記したように中間リンク材３０によって下段側のリンク材２７の傾斜角度と同調するため、同様に略水平の状態で保持される。したがって、各リンク材２７の回動範囲は、何れも垂直の起立状態から略水平位置の傾倒状態となるまでの範囲に規制されることとなる。
【００２８】
また、前記取付片２９には、図３に示すように、横棧１２の回動範囲を規制する回動規制材３１、３２を固着しており、横棧１２の先端部が回動の際に回動規制材３１、３２に当接することにより、横棧１２の回動範囲はリンク材本体２８長手方向に対して常に約９０°〜１３５°の範囲内に規制されるようにしている。このようにすることで、支柱部１１を枠組足場１の上段側へ移動させる際に、リンク材２７の回動、及び横棧１２とリンク材２７間の屈伸とがスムーズに行われるように図っている。
【００２９】
なお、本実施例では、横棧１２として屈曲自在にリンク接続して支柱部１１間に連結したものを採用しているが、特にこれに限定するものではなく、径の異なる二本のパイプを嵌挿させて伸縮自在としたものでも勿論良いが、これだと作業中や運搬中に横棧１２に強い衝撃などが加わることによって横棧１２に歪みが生じた場合には、直ちに各パイプ同士が引っ掛かってしまって伸縮が困難となり、その結果、支柱部１１間の距離調整機能が低下してしまうおそれがある。これに対し、本実施例のようにリンク接続によって伸縮自在としたものであれば、横棧１２に多少歪みが生じたとしても、リンク機構という構造上、伸縮機能、即ち支柱部１１間の距離調整機能が低下してしまうといったおそれは小さく、過酷な使用条件下でも長期に渡って安定した扱いやすさを保てて好適である。
【００３０】
また、本実施例では、リンク材２７は支柱部１１の左右に二本ずつ形成するようにしたが、一本ずつでも良く、また、隣接する支柱部１１の片方のみにリンク材２７を取り付け、横棧１２の一端をこのリンク材２７に軸着すると共に、横棧１２の他端を隣接する他方の支柱部１１の垂直材１３などに直接軸着するようにしても良いなどの種々の変形も可能である。
【００３１】
しかして、枠組足場１を上方へ組み上げていく場合には、先ず、最下段の各建枠２の脚柱３にガイドレール７を沿わせて、係止フック８を建枠２の横架材５に係止して設置固定する。続いて、このガイドレール７へ先行手摺１０の支柱部１１を摺動自在に取り付け、ガイドレール７に沿わせて昇降操作し、支柱部１１のストッパー１６のストッパー部材１８にて建枠２の横架材５へ係止させて支柱部１１を固定する。そして、こうして固定した各支柱部１１のリンク材２７間に横棧１２をリンク接続し、作業安全用の柵を形成する。
【００３２】
次いで、前記支柱部１１の操作ハンドル２６を持って、図２に示すように、支柱部１１をガイドレール７に沿って枠組足場１の上段側へ上昇させていく。このとき、例え建枠２の脚柱３の歪みなどが原因で枠組足場１の組み立て精度が多少悪くても、昇降用に別途設置したガイドレール７に沿わせて行う支柱部１１の昇降には何ら支障が無く、確実にスムーズな昇降を行うことができて取り扱いやすい。そして、支柱部１１の上昇に応じてリンク材２７が傾倒していくと共に、横棧１２は斜めに傾斜していって自動的に長さ調整が行われる。このため、常に横棧１２を取り付けたままで支柱部１１を昇降させることができて安全性が高い上に、いちいち取り外す必要もなくて移動操作が簡便である。
【００３３】
そして、やがてストッパー部材１８が上段側の建枠２の横架材５などに当たることになるが、その際はストッパー部材１８下端側の係止部２０が左右へ押し拡げられていって開放されて回避可能となるため、支柱部１１はそのまま上昇させることができる。このとき、各ストッパー部材１８下端の係止部２０が離反していくのに反して、ストッパー部材１８上端の把持部２５が近接し、常にストッパー部材１８の一部がガイドレール７を確実に把持し、支柱部１１のガイドレール７との支持力の低下を抑えて昇降作業中の支柱部１１の脱落などを防止できるようにしている。そして、ストッパー部材１８が横架材５位置を通過すれば、各ストッパー部材１８はバネ１９によって元の係止可能な位置に直ちに復帰し、あとはそのまま支柱部１１を下ろせばストッパー部材１８がその横架材５へ係止され、支柱部１１は支持固定される。このように、作業者は終始操作ハンドル２６のみを両手でしっかり掴んだ状態で支柱部１１を昇降操作することができ、扱いやすい上に安全性も高い。
【００３４】
続いて、隣接する支柱部１１を上記同様にガイドレール７に沿わせながら上昇させていくと、先程傾倒したリンク材２７が上方へと押し上げられて元の起立状態となると共に、横棧１２も再び水平状態となり、その状態で支柱部１１のストッパー１６のストッパー部材１８を上段側の建枠２の横架材５へ係止させて支柱部１１を固定すると、上段側の足場周囲に前記同様に作業安全用の柵が形成される。こうして安全が確保された状態で、上段側の足場板６や建枠２、及び筋交い４を取り付けていって上段側の足場を組み上げる。
【００３５】
そして、更にその上段に足場を組み上げていく場合には、支柱部１１を建枠２の横架材５に係止させた状態で、ガイドレール７のみを枠組足場１の一段分上方へスライドさせ、ガイドレール７の係止フック８を建枠２の横架材５へ再び係止させて固定する。このとき、ガイドレール７のみが枠組足場１の上方へ突出した状態となる。そして、後は支柱部１１をガイドレール７に沿わせて上昇させていくなど、上記と同様の作業を繰り返し行って足場を組み上げていく。
【００３６】
このように、枠組足場１を組み上げていく場合に、昇降用のガイドレール７を別途設置して、そのガイドレール７に沿って先行手摺１０の支柱部１１を昇降させるようにしたので、枠組足場１の組み立て精度が多少悪くても支柱部１１は常にスムーズに昇降させることができて取り扱いやすい。また、従来の枠体状の手摺枠が昇降のために平行な二本のガイドレールを要するのに対して本発明の先行手摺１０の支柱部１１は、上記のように一本のガイドレール７しか要さず、また各支柱部１１間に架設した横棧１２も伸縮自在なものを採用しているため、隣接する各ガイドレール７同士を正確に平行に設置しなくても支障なく支柱部１１を昇降させることができ、ガイドレール７の設置が容易かつ迅速に行えて好適である。
【００３７】
また、支柱部１１間には屈曲自在にリンク接続した横棧１２を連結しているため、作業中や運搬中に横棧１２に強い衝撃などが加わることによって横棧１２に多少歪みが生じたとしても、伸縮機能、即ち支柱部１１間の距離調整機能が低下してしまうといったおそれは小さく、取り扱いやすさを良好に維持できて好適である。更に、支柱部１１の昇降の際でも、常にストッパー部材１８の一部が建枠２の脚柱３を把持するため、支柱部１１とガイドレール７との支持力の低下を抑えることができ、ぐらつきを防いで安全かつスムーズに枠組足場１の組み立て、解体作業を行えて取り扱いやすくて好適である。
【図面の簡単な説明】
【００３８】
【図１】本発明に係る先行手摺を枠組足場に設置した状態を示す、（ａ）側面図、（ｂ）正面図である。
【図２】図１（ａ）の要部拡大図である。
【図３】図１（ａ）の支柱部の一部切り欠き拡大図である。
【図４】ガイドレールに取り付けた状態の支柱部の、（ａ）一部切り欠き側面図、（ｂ）正面図である。
【図５】ストッパー部の、（ａ）一部切り欠き正面図、（ｂ）一部切り欠き側面図、（ｃ）一部切り欠き平面図である。
【図６】枠組足場にガイドレールを設置した状態を示す、（ａ）側面図、（ｂ）一部切り欠き背面図である。
【符号の説明】
【００３９】
１…枠組足場                  ２…建枠
３…脚柱                      ４…筋交い
５…横架材                    ６…足場板
７…ガイドレール              １０…先行手摺
１１…支柱部                  １２…横棧
１５…ガイドローラ            １６…ストッパー
１８…ストッパー部材          １９…バネ
２０…係止部                  ２５…把持部
２７…リンク材
【図１】
2005307628.tif 000003
【図２】
2005307628.tif 000004
【図３】
2005307628.tif 000005
【図４】
2005307628.tif 000006
【図５】
2005307628.tif 000007
【図６】
2005307628.tif 000008